(57)【要約】【課題】既存の表示器を用いて、利用者に対してエレベータの現在の状態などを知らせることができる。【解決手段】地震の発生によりエレベータ１２が停止した場合などに、監視センタ２３や保守員２５の端末装置２６からメッセージを送信する。このメッセージは、制御盤１８を介して表示制御装置３３，３６に伝送され、各階の乗場３１や乗りかご１４内に設置された表示器３２，３３に通常の状態表示に代えてスクロール表示される。これにより、利用者はエレベータの現在の状態などを把握できる。【選択図】      図１
2008156081.tif 000002
【特許請求の範囲】
【請求項１】
複数の異なる情報発信源と、
エレベータの特定の箇所に設置され、上記エレベータの状態表示を行う表示器と、
各文字のコードと表示パターンが関連付けて記憶されたテーブル手段と、
上記各情報発信源から送信されたメッセージの文字コード列を受信した際に、その文字コード列に対応した各文字の表示パターンを上記テーブル手段から読み出し、上記表示器にスクロール表示する表示制御手段と
を具備したことを特徴とするエレベータの表示システム。
【請求項２】
上記各情報発信源は、上記エレベータの運転状態を通信回線を介して監視する監視センタを含むことを特徴とする請求項１記載のエレベータの表示システム。
【請求項３】
上記各情報発信源は、保守員が所持する端末装置を含むことを特徴とする請求項１記載のエレベータの表示システム。
【請求項４】
上記各情報発信源は、予め固定化されたメッセージとは別に任意に作成されたメッセージを送信することを特徴とする請求項１乃至３のいずれか１つに記載のエレベータの表示システム。
【請求項５】
上記表示器は、各階の乗場に設置されていることを特徴とする請求項１記載のエレベータの表示システム。
【請求項６】
上記表示器は、乗りかご内に設置されていることを特徴とする請求項１記載のエレベータの表示システム。
【請求項７】
上記表示制御手段は、上記メッセージの表示中に一定時間間隔で上記エレベータの状態表示を行うことを特徴とする請求項１記載のエレベータの表示システム。
【発明の詳細な説明】
【技術分野】
【０００１】
本発明は、各階の乗場や乗りかご内に設置された表示器にメッセージを表示するエレベータの表示システムに関する。
【背景技術】
【０００２】
エレベータの各階の乗場や乗りかご内には、それぞれにエレベータの状態表示を行うための表示器が設置されている。エレベータの状態表示とは、乗りかごが現在どの階床にいるのかを示すかご位置表示や、乗りかごの運転方向の表示などである。通常、この種の表示器は小型であり、上述したようなかご位置表示や方向表示を行う程度の小さな表示エリアしか持たない。
【０００３】
また、例えば特許文献１に開示されているように、各階の乗場に通常の表示器とは別に、地震情報を通知するための専用の通知装置を設置することも提案されている。
【特許文献１】特開２００２−６８６２８号公報
【発明の開示】
【発明が解決しようとする課題】
【０００４】
最近の地震によるエレベータの停止や閉じ込め事故などを背景に、何らかの異常が発生した際に、エレベータの利用者に対して、現在の状態などをいち早く知らせることが要求されている。
【０００５】
このような要求に対し、上記特許文献１のように専用の通知装置を用いる方法では、各物件に通知装置を設置しておく必要があり、その設置スペースの確保やコスト的な問題がある。
【０００６】
本発明は上記のような点に鑑みなされたもので、既存の表示器を用いて、利用者に対してエレベータの現在の状態などを知らせることのできるエレベータの表示システムを提供することを目的とする。
【課題を解決するための手段】
【０００７】
本発明のエレベータの表示システムは、複数の異なる情報発信源と、エレベータの特定の箇所に設置され、上記エレベータの状態表示を行う表示器と、各文字のコードと表示パターンが関連付けて記憶されたテーブル手段と、上記各情報発信源から送信されたメッセージの文字コード列を受信した際に、その文字コード列に対応した各文字の表示パターンを上記テーブル手段から読み出し、上記表示器にスクロール表示する表示制御手段とを具備して構成される。
【発明の効果】
【０００８】
本発明によれば、エレベータの乗場や乗りかご内などに設置された既存の表示器に、通常の状態表示に代えてメッセージを表示することができる。これにより、地震等の異常が発生した場合などにおいて、利用者に対してエレベータの現在の状態などを知らせることができる。また、多数のエレベータから同時に監視センタへ連絡することによる回線の輻輳を防ぐことができる。
【発明を実施するための最良の形態】
【０００９】
以下、図面を参照して本発明の実施形態を説明する。
【００１０】
図１は本発明の一実施形態に係るエレベータの表示システムの全体構成を示す図であり、ビル１１の内部に１台のエレベータ１２が設置された例が示されている。
【００１１】
エレベータ１２は、昇降路１３内を移動する乗りかご１４と、この乗りかご１４とほぼ同じ重量を持つカウンターウエイト１５と、乗りかご１４とカウンターウエイト１５にそれぞれの端部に接続されたロープ１６と、このロープ１６を巻き掛けて乗りかご１４を駆動する巻上機１７などから構成されている。
【００１２】
また、このエレベータ１２の運行を制御する制御盤１８は、例えばビル１１の最上部の機械室１９に設置されている。この制御盤１８は、エレベータ制御装置として存在し、巻上機１７の駆動制御などを行う。
【００１３】
なお、ここでは図示および説明を省略するが、昇降路１３内の全昇降行程にわたりガイドレールが敷設されていて、エレベータ１２の軌道として乗りかご１４やカウンターウエイト１５を導く。また同様に、ロープ１６が切断しても乗りかご１４が最下階まで落下してしまわないように、調速機により安全が確保されている。
【００１４】
さらに、昇降路１２の最下部（ピット）１３ａには、所定値以上のＰ波を感知した際に制御盤１８に信号を出力し、エレベータ１２に対して管制運転モードでの運転を行わせるためのＰ波感知器２０が設置されている。一方、機械室１９には、所定値以上のＳ波を検知した際に制御盤１８に信号を出力し、エレベータ１２の運行を強制的に停止させるためのＳ波感知器２１が設置されている。
【００１５】
これらの地震感知器２０，２１以外にも、図示しない各種のセンサが設けられている。そして、これらセンサが出力する信号の幾つかは、制御盤１８から通信回線２２を介して監視センタ２３内の監視制御装置２４に送信されることにより、エレベータ１２の動作状態が常時遠隔監視される。
【００１６】
監視センタ２３では、必要により制御盤１８に信号を供給し、エレベータ１２の遠隔制御や遠隔点検を行うこともある。また、地震によりエレベータ１２が停止した場合などに、保守員２５を現場に派遣する。保守員２５は、点検機能を備えた端末装置２６などを所持して現場に向かい、エレベータ１２の復旧作業などを行う。
【００１７】
一方、エレベータ１２の各階の乗場３１には、それぞれに表示器３２と表示制御装置３３が設けられている。なお、表示器３２と表示制御装置３３は一体の構成でもよい。表示器３２は、乗りかご１４の現在位置（階床）の表示や方向表示などのエレベータ１２の状態表示を行う。表示制御装置３３は、この表示器３２の表示内容を制御するものであり、伝送ケーブル３４を介して制御盤１８に接続されている。
【００１８】
また、乗りかご１４内にも、乗場３１と同様にエレベータ１２の状態表示を行うための表示器３５と、その表示器３５に対する表示制御装置３６が設けられている。表示制御装置３６は、伝送ケーブル３７を介して制御盤１８に接続されている。
【００１９】
なお、実際には、各階の乗場３１には乗りかご１４を呼ぶための呼びボタンが設置されており、乗りかご１４内には各階の行き先ボタン、戸開ボタン、戸閉ボタンなどが設置されているが、これらの操作ボタンについては本発明とは関係しないため、その説明を省略するものとする。
【００２０】
ここで、乗場３１に設置された表示器３２や、乗りかご１４内に設置された表示器３５は、乗りかご１４の現在位置（階床）や方向などを表示する程度のエリアしか持たない。本システムでは、このような既存の表示器３２，３５を用いて、地震などの異常が発生したときのメッセージ表示を実現する。
【００２１】
以下に、乗場３１に設置された表示器３２を例にして、本システムの具体的な構成について説明する。
【００２２】
図２はエレベータ１２の乗場３１に設置された表示器３２と表示制御装置３３の構成を示す図である。なお、乗りかご１４内に設置された表示器３５と表示制御装置３６の構成についても同様である。
【００２３】
表示器３２には、乗りかご１４の進行方向（上方向／下方向）を表示するための進行方向表示部３２１と、乗りかご１４の現在位置（階床）を表示するためのかご位置表示部３２２が設けられている。
【００２４】
表示制御装置３３は、データ送受信部３３１と、制御部３３２と、記憶部３３３とを備える。データ送受信部３３１は、制御盤１８との間で伝送ケーブル３４を介して表示器３２の表示に関するデータを送受信する。
【００２５】
制御部３３２は、ＣＰＵからなり、データ送受信部３３１によって受信されたエレベータ１２の状態情報に基づいて、表示器３２の進行方向表示部３２１に乗りかご１４の進行方向（上方向／下方向）を表示すると共に、かご位置表示部３２２に現在の階床をかご位置として表示する。
【００２６】
さらに、制御部３３２は、各情報発信源からメッセージの文字コード列を受信した際に、その文字コード列に対応した表示パターンを記憶部３３３に設けられた文字テーブル３３４から読み出して、表示器３２のかご位置表示部３２２にスクロール表示する機能を備える。上記各情報発信源とは、監視センタ２３や、保守員２５が所持する端末装置２６などである。
【００２７】
記憶部３３３は、制御部３３２の動作に必要な各種データを記憶しており、ここではメッセージ表示用の文字テーブル３３４を有する。
【００２８】
図３に文字テーブル３３４の構成を示す。  
文字テーブル３３４には、メッセージとして表示される各文字のコードデータとその表示パターンが関連付けられて記憶されている。なお、各文字のコードデータは、例えばＪＩＳ規格に準じたものであっても良いし、上記各情報発信源との間で任意のコード体系を決めておくことでも良い。
【００２９】
次に、監視センタ２３の構成について説明する。  
監視センタ２３は、通信回線２２を介してエレベータ１２に接続されている。この監視センタ２３は、エレベータ１２の運転状態を遠隔監視すると共に、地震などに関するメッセージの発信源の１つとして存在する。なお、図１の例では、監視センタ２３に１台のエレベータ１２が接続されているが、実際には各地に点在する多数のエレベータが通信回線２２を介して監視センタ２３に監視対象として接続されている。
【００３０】
図４は監視センタ２３内に設けられた監視制御装置２４の構成を示すブロック図である。この監視制御装置２４は、通信部２４１、制御部２４２、操作部２４３、表示部２４４、記憶部２４５を備える。
【００３１】
通信部２４１は、監視対象とするエレベータ１２との間で通信処理を行う。制御部２４２は、ＣＰＵからなり、遠隔監視に関わる全体の制御を行う。操作部２４３は、データ入力や各種指示を行うための各種操作ボタンを有する。表示部２４４は、監視対象とするエレベータ１２の運転状態などの表示を行う。
【００３２】
記憶部２４５は、制御部２４２の動作に必要な各種データを記憶しており、ここではデータベース２４６や固定メッセージテーブル２４７を有する。
【００３３】
データベース２４６には、各物件の住所、そこに設置されているエレベータ号機の種類などを含む物件データや、保守員の識別情報、管轄地域などを含む保守員管理データなどが登録されている。
【００３４】
固定メッセージテーブル２４７には、図５に示すように、予め決められた固定メッセージが多数登録されている。これらの固定メッセージには、それぞれに番号が付されている。監視センタ２３のオペレータが操作部２４３の図示せぬ数字キーの操作によって上記番号を入力すると、固定メッセージテーブル２４７から当該番号に対応した固定メッセージが読み出され、その固定メッセージの文字コード列がエレベータ１２に送信される。
【００３５】
また、このような固定メッセージとは別に、操作部２４３の図示せぬ文字キーの操作によってメッセージを任意に作成して、エレベータ１２に送信することも可能である。
【００３６】
また、保守員２５が所持する端末装置２６にも、監視センタ２３と同様のメッセージ送信機能が備えられている。つまり、端末装置２６内に上記固定メッセージテーブル２４７が記憶されており、番号入力により固定メッセージの文字コード列をエレベータ１２に送信でき、さらに、任意のメッセージを作成して、その文字コード列をエレベータ１２に送信することもできる。
【００３７】
なお、端末装置２６によるメッセージの送信方法としては、無線であっても良いし、保守員２５が機械室１９に入り、端末装置２６を制御盤１８に接続して送信することでも良い。
【００３８】
次に、本システムの表示処理について説明する。
【００３９】
図６は表示制御装置３３による表示処理の流れを示すフローチャートである。なお、このフローチャートで示される処理は、表示制御装置３３内の制御部３３２が記憶部３３３に記憶された所定のプログラムを読み込むことにより実行される。
【００４０】
今、乗場に設置された表示器３２にメッセージ表示を行う場合を想定する。通常は、図７に示すように、現在の乗りかご１４の位置（階床）が表示器３２のかご位置表示部３２２に表示される（ステップＳ１１）。かご位置表示部３２２は、ｎ×ｍのセグメント３２３からなり、これらのセグメント３２３を液晶やＬＥＤ等で点灯することで、１つの文字を表示するように構成されている。
【００４１】
ここで、例えば地震の発生によりエレベータ１２が停止すると、その旨が通信回線２２を介して監視センタ２３に知らされる。これにより、監視センタ２３では、保守員２５を現場に派遣して復旧作業を行うことになるが、その際に、地震の発生や復旧作業に関わるメッセージをエレベータ１２に送信する。
【００４２】
上述したように、このメッセージには、固定メッセージと任意作成メッセージの２種類がある。固定メッセージは、オペレータが番号を入力することで、図５に示す固定メッセージテーブル２４７から読み出される。図５の例では、番号の「１」が「地震です。」、「２」が「故障中。」、「３」が「点検中。」といったメッセージにそれぞれ対応している。
【００４３】
この固定メッセージは定型的な内容であり、例えば保守員２５の到着時間や復旧時間など、より詳しい内容を利用者に知らせる場合には、オペレータが任意にメッセージを作成する。図１０（ａ），（ｂ）に任意作成メッセージの一例を示す。
【００４４】
これらのメッセージは、予め決められた文字のコード体系に従ってコードデータの形式で送られる。すなわち、「地震です。」といったメッセージであれば、「ジ」の文字コード、「シ」の文字コード、「ン」の文字コード、「デ」の文字コード、「ス」の文字コード、「。」の文字コードといったように、当該メッセージを構成する各文字（記号も含む）のコード列が送信されることになる。
【００４５】
なお、ここでは、表示文字種として「カタカナ」を例にするが、かご位置表示部３２２のセグメント数（表示ドット数）が多数ある場合には、「ひらがな」や「漢字」による表示を行うことでも良い。
【００４６】
このようにして、監視センタ２３から送信されたメッセージの文字コード列は、エレベータ１２の主制御装置である制御盤１８にて受信された後、伝送ケーブル３４を介して表示制御装置３３に伝送される。
【００４７】
表示制御装置３３では、このメッセージの文字コード列を受信すると（ステップＳ１２）、現在表示中のかご位置の情報をＯＦＦした後（ステップＳ１３）、図３に示す文字テーブル３３４から当該文字コード列に対応した各文字の表示パターンを読み込む（ステップＳ１４）。
【００４８】
なお、メッセージを送信する際に、スクロール速度やスクロール方向を指定することでも良い。具体的には、スクロール速度とスクロール方向を示す表示制御情報をメッセージの文字コード列に付加して送る。これにより、表示制御装置３３では、上記表示制御情報に基づいて文字列のスクロール表示を行うことになる。
【００４９】
ここで、例えば左方向に文字列をスクロール表示する場合であれば、図８に示すように、表示制御装置３３は、かご位置表示部３２２の一番右の列を表示基準列として、そこに当該文字列の一番左の列データを点灯させるように設定して（ステップＳ１５）、メッセージの表示を開始する（ステップＳ１６）。
【００５０】
図８では、「ジシンデス。」といったメッセージを表示する場合の流れを示しており、実際には、図９に示すように表示される。
【００５１】
また、メッセージの表示中に一定時間が経過したとき（ステップＳ１７のＹｅｓ）、引き続き同じメッセージの文字コード列を受信していれば（ステップＳ１８→Ｓ２０のＮｏ）、表示制御装置３３は、当該文字列を左方向に一列ずつ所定の速度でスクロールしながら（ステップＳ２２）、最後の文字まで順次表示していく（ステップＳ２３）。
【００５２】
新たな文字コード列の受信により、メッセージの表示内容を変更する場合であれば（ステップＳ２０のＹｅｓ）、表示制御装置３３は、現在表示中のメッセージを消した後（ステップＳ２１）、新たな文字コード列に対応した各文字の表示パターンを読み込んで（ステップＳ１４）、かご位置表示部３２２に表示する。
【００５３】
文字コード列の受信が終了すると（ステップＳ１８のＹｅｓ）、表示制御装置３３は、メッセージ表示をＯＦＦした後（ステップＳ１９）、通常のかご位置表示に戻す（ステップＳ１１）。
【００５４】
また、メッセージ表示中にかご位置表示も行うため、表示制御装置３３は、一定の表示切替タイミングが経過した際に（ステップＳ１８のＹｅｓ）、メッセージ表示をＯＦＦして（ステップＳ１９）、かご位置表示を行う（ステップＳ１１）。その後、再び表示切替タイミングが経過したら（ステップＳ１２のＹｅｓ）、表示制御装置３３は、かご位置表示をＯＦＦして（ステップＳ１３）、当該メッセージの文字列を先頭から再表示する（ステップＳ１４〜Ｓ１６）。
【００５５】
なお、ここでは説明を簡単にするため、乗場３１に設置された表示器３２に着目して説明したが、乗りかご１４内に設置された表示器３５についても同様であり、監視センタ２３からメッセージが送信されると、通常の表示内容に代えて、そのメッセージの文字列がスクロール表示されることになる。
【００５６】
また、メッセージの発信源にしても、監視センタ２３に限らず、保守員２５が所持する端末装置２６からメッセージを送った場合でも同様の表示処理がなされる。
【００５７】
このように、地震が発生した場合に、監視センタ２３や保守員２５の端末装置２６などから送ったメッセージを既存の表示器３２，３５に表示することができる。エレベータ利用者は、この表示器３２，３５に表示されたメッセージ内容を読むことで、監視センタ２３に問い合わせなくとも、地震によるエレベータ１２の現在の状態などについて把握することができる。
【００５８】
また、予め固定化されたメッセージとは別に、図１０（ａ），（ｂ）に示すように、保守員２５の到着時間やエレベータ１２の復旧時間などの詳細な情報をメッセージとして送信して、表示器３２，３５に表示することもできる。したがって、地震によってエレベータ１２が停止した場合や、乗りかご１４内の閉じ込め事故が発生したような場合に、そのときの状況に応じた詳細なメッセージを送るようにすれば、利用者の不安を軽減することができる。
【００５９】
なお、上記実施形態では、地震の発生を想定して説明したが、地震に限らず、強風や津波、火災などの何らかの異常が発生した場合でも同様である。
【００６０】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００６１】
【図１】図１は本発明の一実施形態に係るエレベータの表示システムの全体構成を示す図である。
【図２】図２は同実施形態におけるエレベータの乗場に設置された表示器と表示制御装置の構成を示す図である。
【図３】図３は同実施形態における表示制御装置に設けられた文字テーブルの構成を示す図である。
【図４】図４は同実施形態における監視制御装置の構成を示すブロック図である。
【図５】図５は同実施形態における監視制御装置に設けられた固定メッセージテーブルの構成を示す図である。
【図６】図６は同実施形態における表示制御装置による表示処理の流れを示すフローチャートである。
【図７】図７は同実施形態における表示器のかご位置表示部の構成を示す図である。
【図８】図８は同実施形態における表示器のかご位置表示部にメッセージをスクロール表示する方法を説明するための図である。
【図９】図９は同実施形態における表示器のかご位置表示部に対するメッセージ表示を示す図である。
【図１０】図１０は同実施形態における任意作成メッセージの一例を示す図である。
【符号の説明】
【００６２】
１１…ビル、１２…エレベータ、１３…昇降路、１３ａ…昇降路の最下部（ピット）、１４…乗りかご、１５…カウントウェイト、１６…ロープ、１７…巻上機、１８…制御盤、１９…機械室、２０…Ｐ波感知器、２１…Ｓ波感知器、２２…通信回線、２３…監視センタ、２４…監視制御装置、２５…保守員、２６…端末装置、３１…乗場、３２…表示器、３３…表示制御装置、３４…伝送ケーブル、３５…表示器、３６…表示制御装置、３７…伝送ケーブル、３２１…進行方向表示部、３２２…かご位置表示部、３２３…セグメント、３３３…記憶部、３３４…文字テーブル、２４１…通信部、２４２…制御部、２４３…操作部、２４４…表示部、２４５…記憶部、２５６…データベース、２４７…固定メッセージテーブル。
【図１】
2008156081.tif 000003
【図２】
2008156081.tif 000004
【図３】
2008156081.tif 000005
【図４】
2008156081.tif 000006
【図５】
2008156081.tif 000007
【図６】
2008156081.tif 000008
【図７】
2008156081.tif 000009
【図８】
2008156081.tif 000010
【図９】
2008156081.tif 000011
【図１０】
2008156081.tif 000012